(57)【特許請求の範囲】
【請求項１】
箱状容器の周壁外面に支持部を突設するとともに、上部開口縁に前記支持部を載置可能なフランジ部と前記支持部が進入可能なポケット部とを設け、上方の容器と下方の容器とが同じ方向を向く位置関係で積み重ねた際に上方の容器の前記支持部が下方の容器の前記フランジ部上面に載置されてスタッキング状態となり、一方の容器を水平方向に１８０度回転させて積み重ねたときには、上方の容器の前記支持部が下方の容器の前記ポケット部に進入してネスティング状態となるスタッキング及びネスティングが可能な運搬用容器において、
少なくとも向かい合う一対の側壁の上縁ほぼ中央を切り欠いて通路出口を設けると共に、各側壁には各ポケット部の下部側壁から通路出口に向けて導通しかつ支持部が通過可能な脱出通路を設けたことを特徴とする運搬用容器。
【発明の詳細な説明】
【０００１】
【発明の属する技術分野】
本発明は、運搬用容器、詳しくは、２つの運搬用容器がネスティング状態にある場合において、上方の運搬用容器を下方の運搬用容器から極めて簡単に脱出させることが可能な運搬用容器容器に関する。
【０００２】
【従来の技術】
スタッキング及びネスティングが可能な運搬用容器は、箱状の容器本体の側壁外面にそれぞれ２本づつ突設した支持部を下方の運搬用容器の上部開口縁に設けたフランジ部の上面に載置させた状態でスタッキングでき、また運搬用容器を逆方向に向けて支持部を下方の運搬用容器のフランジ部に設けたポケット部内に進入させることでネスティングできるように形成されており、前記支持部や凹部の位置、大きさがそれぞれ特定の関係になるように設定されている。
【０００３】
【発明が解決しようとする課題】
このようなネスティング及びスタッキングが可能な運搬用容器において、ネスティング状態の容器を一つづつ取り出す際には、上方の容器を両手で持って垂直方向に持ち上げ、支持部をポケット部から引き抜くようにしなければならなかった。このため、実開平７−１３７３７号公報に記載されているように、ポケット部を幅広に形成し、容器の一端を片手で持ち上げることによって支持部をポケット部から引き抜けるようにすることも提案されているが、従来の運搬用容器では、図４に示すように、上方の容器１１Ａの一端１１ａを大きな角度αまで持ち上げなければ支脚部３２Ａを下方の容器１１のポケット部２５から引き抜くことができなかった。しかも、結果的に支脚部が納まるポケット部の幅が広くなってしまうという問題があった。
【０００４】
そこで本発明は、ネスティング状態にある上方の運搬用容器の一端を僅かに持ち上げて、手前の支持部を引き抜けば、奥の支持部は脱出通路から容易に脱出可能とした運搬用容器を提供することを目的とする。
【０００５】
【課題を解決するための手段】
本発明は、箱状容器の周壁外面に支持部を突設するとともに、上部開口縁に前記支持部を載置可能なフランジ部と前記支持部が進入可能なポケット部とを設け、上方の容器と下方の容器とが同じ方向を向く位置関係で積み重ねた際に上方の容器の前記支持部が下方の容器の前記フランジ部上面に載置されてスタッキング状態となり、一方の容器を水平方向に１８０度回転させて積み重ねたときには、上方の容器の前記支持部が下方の容器の前記ポケット部に進入してネスティング状態となるスタッキング及びネスティングが可能な運搬用容器において、
少なくとも向かい合う一対の側壁の上縁ほぼ中央を切り欠いて通路出口を設けると共に、各側壁には各ポケット部の下部側壁から通路出口に向けて導通しかつ支持部が通過可能な脱出通路を設けたことを特徴とする運搬用容器である。
【０００６】
【発明の実施の形態】
本発明の好適な実施の形態を図面に基いて説明する。図１は本発明の運搬用容器１１の一例を示す斜視図、図２は上方の容器の一端を持ち上げて引き抜く状態を示す長手方向における側面図、図３（ａ）〜（ｃ）は支持部の形状を例示する斜視図、図４は従来の運搬用容器１１の、ネスティング状態において上方の運搬容器１１Ａの長手方向の一端１１ａを持ち上げた状態を示す側面図である。
【０００７】
スタッキング及びネスティングが可能な運搬用容器１１は、方形状の底板１２と、該底板１２の四周に立設した長手方向の側壁２０，  ３０及び短手方向の側壁４０，  ５０とにより上方が開口した箱状容器を形成し、各側壁２０，３０，４０，５０の外面下部に、それぞれ２本づつの支持部２１，２２，３１，３２，４１，４２，５１，５２を突設するとともに、箱状容器の上部開口縁に、前記支持部を載置可能なフランジ部２３，３３，４３，５３と、各支持部がそれぞれ進入可能なポケット部２４，２５，３４，３５，４４，４５，５４，５５とを設けたものである。
【０００８】
運搬用容器１１の材質は、特に限定されるものではない。例えば、合成樹脂、ポリプロピレン、ポリエチレン、ポリカーボネート等の射出成形により一体化して製造し得る。
【０００９】
ポケット部２４，２５，３４，３５，４４，４５，５４，５５は、運搬用容器１１の高さ方向の約半分の高さ（深さ）に形成されており、この運搬用容器１１を、上方の容器と下方の容器とが同じ方向を向く位置関係で積み重ねると、各支持部の下端が各フランジ部の上面に載置されたスタッキング状態になり、一方の運搬用容器１１を水平方向に１８０度回転させて積み重ねると、各支持部と各ポケット部とが対応し、支持部２１，２２がポケット部３４，３５に、支持部３１，３２がポケット部２４，２５に、支持部４１，４２がポケット部５４，５５に、支持部５１，５２がポケット部４４，４５に、それぞれ進入してネスティング状態となる。このネスティング状態では、上方の容器の約半分が下方の容器内に入り込んだ状態になる。
【００１０】
図示のとおり、運搬用容器１１の少なくとも向かい合う一対の側壁２０，  ３０の上縁であるフランジ部２３，３３のほぼ中央には、該フランジ部２３，３３を切欠する態様で通路出口６０，７０が形成されている。
【００１１】
そして、側壁２０，  ３０の内側には、各ポケット部２４，２５，３４，３５の容器中央側の下部側壁から通路出口６０，７０に向けて斜状に導通する脱出通路Ｗ１，Ｗ２，Ｗ３，Ｗ４が、溝状をなして形成されている。脱出通路Ｗ１とＷ２、Ｗ３とＷ４が、それぞれ通路出口６０，７０において交叉し、角状をなす通路出口端部Ｗ５，Ｗ６を形成している。
【００１２】
通路出口端部Ｗ５，Ｗ６は、容器の高さ方向において、側壁２０，  ３０の上縁であるフランジ部２３，３３とほぼ同じ高さ（同じ高さ又は僅かに下の位置）に位置する。脱出通路Ｗ１，Ｗ２，Ｗ３，Ｗ４は、ネスティング状態にある上方の運搬用容器の一端を僅かに持ち上げて、一端側の支持部を引き抜いたとき、他端側の支持部２１，３２（又は２２，３１）が通過可能な幅、高さを有するように設けられる。
【００１３】
しかして、図２に示すように、ネスティング状態にある上方の運搬用容器１１Ａの一端１１ａを僅かに持ち上げ、手前の支持部を引き抜いて手前側（図面左側）に引いていくと、奥（図面右側）の支持部３２（２１）は各ポケット部２５（３４）の下部側壁に設けた脱出通路Ｗ２（Ｗ３）の入口にそのまま案内されて、斜状に伸びる脱出通路Ｗ２（Ｗ３）に誘導されつつ該脱出通路Ｗ２（Ｗ３）を通過して通路出口６０（７０）から脱出し、下方のポケット部より容易に脱出することができる。逆側（図面右側）に引く場合も上記と同様の動作により、奥（図面左側）の支持部３１，２２は脱出通路を通過して容易に脱出することができる。
【００１４】
脱出通路Ｗ  １，Ｗ２，Ｗ３，Ｗ４の入口下端は、各ポケット部２４，２５，３４，３５の底部と面一にしてもよいが、ポケット部２４，２５，３４，３５の底部より一段高くして段部を形成し、上方の容器を脱出させるとき以外は、段部にて動かないように規制するのが好ましい。
【００１５】
上方の容器が下方の容器の開口縁をスライドする際に、通路出口に来ても通路出口端部Ｗ５，Ｗ６に当たるとともに支持部の角度が相違するので、通路出口を容易に通過することができる。
【００１６】
支持部２１，２２，３１，３２には、脱出通路Ｗ  １，Ｗ２  ，Ｗ３，Ｗ４をスムーズに通過できるように、円滑性向上処理、例えば、フッ素樹脂加工等により表面円滑性を高める皮膜形成を施してもよい。
【００１７】
支持部２１，２２，３１，３２の形状は、必要に応じて適宜設定し得るものであり、図１，２に示すような容器側面から見て横長のほぼ矩形の筒又は柱状のものの他、例えば、図３（ａ）（ｂ）に示すように、容器側面から見て楕円（ａ）又は円形状（ｂ）等の各種形状、あるいは回転するローラー状（ｃ）に形成してもよい。また、支持部２１，２２，３１，３２の大きさ（容器長手方向の幅、高さ、出っ張り程度等）は、脱出通路Ｗ  １，Ｗ２  ，Ｗ３，Ｗ４及びポケット部２４，２５，３４，３５の大きさとの相対関係等を考慮して決定される。
【００１８】
なお、図示の容器では、容器の長手方向の側壁２０，３０に脱出通路Ｗ  １，Ｗ２  ，Ｗ３，Ｗ４を設けた例を示したが、短手方向の側壁４０，５０に脱出通路を設けてもよい。また、長手方向及び短手方向の側壁の両者に脱出通路を設けてもよい。
【００１９】
【発明の効果】
以上説明したように、本発明の運搬用容器によれば、ネスティング状態からの運搬用容器の取り出しを簡単に行なうことができ、作業性の大幅な改善が図られ、作業者の労力を軽減できるとともに、作業効率の向上による作業時間の短縮も図られるため、極めて有益である。
【図面の簡単な説明】
【図１】本発明の運搬用容器１１の一例を示す斜視図である。
【図２】上方の容器１１Ａの一端１１Ａを持ち上げて引き抜く状態を示す長手方向における側面図である。
【図３】（ａ）（ｂ）（ｃ）は支持部の形状を例示する斜視図である。
【図４】従来の運搬用容器１１の、ネスティング状態において上方の運搬容器１１Ａの長手方向の一端１１ａを持ち上げた状態を示す側面図である。
【符号の説明】
１１  運搬用容器
２１，２２  支持部
３１，３２  支持部
４１，４２  支持部
５１，５２  支持部
２４，２５  ポケット部
３４，３５  ポケット部
４４，４５  ポケット部
５４，５５  ポケット部
２３，３３，４３，５３  フランジ部
６０，７０  通路出口
Ｗ１，Ｗ２，Ｗ３，Ｗ４  脱出通路
【図１】
0003588260.tif 000002
【図２】
0003588260.tif 000003
【図３】
0003588260.tif 000004
【図４】
0003588260.tif 000005